(57)【要約】【課題】多品種に適用可能な放電装置を備えた放電ユニット、及び多品種に適用可能な放電装置を備えた空気調和機を提供する。【解決手段】各放電装置１７は、空気流路１５ｃ内において、第１方向Ｄ１に沿って配置され、一方の放電装置１７は、他方の放電装置１７に対して第２方向Ｄ２にずれた位置に配置されており、２つの放電装置１７を第２方向Ｄ２に向かってみたときに、放電装置本体６０同士が第１方向Ｄ１にずれ、かつ、端子部６１同士が第２方向Ｄ２に重なるように、２つの放電装置１７がそれぞれ配置されている。【選択図】図２
2011106740.tif 000002
【特許請求の範囲】
【請求項１】
ケーシング（２１）を有する空気調和機本体（１３）に装着可能であり、前記空気調和機本体（１３）に装着された装着状態において、前記ケーシング（２１）の幅方向に沿って前記ケーシング（２１）に設けられた吸込口（２１ａ）を通じて前記空気調和機本体（１３）に、有害物質の少なくとも一部を不活化した空気を供給可能な放電ユニットであって、
空気の吸い込み側となる上流側開口部（１５ａ）、及び前記空気を吹き出して前記空気調和機本体（１３）に供給する側となる下流側開口部（１５ｂ）を有し、これらの上流側開口部（１５ａ）及び下流側開口部（１５ｂ）が前記吸込口（２１ａ）に対向するように配置される枠体（１５）と、
放電を生起させることにより、前記上流側開口部（１５ａ）から前記下流側開口部（１５ｂ）に至る前記枠体（１５）内の空気流路（１５ｃ）を流れる空気に活性種を放出可能な少なくとも２つの放電装置（１７）と、を備え、
各放電装置（１７）は、長尺状の放電装置本体（６０）と、この放電装置本体（６０）の長手方向の一方の端部に設けられ、前記放電装置本体（６０）に電圧を印加するための端子部（６１）とを有しており、
前記装着状態において、前記ケーシング（２１）の前記幅方向に沿った方向を第１方向（Ｄ１）とし、この第１方向（Ｄ１）に垂直な方向を第２方向（Ｄ２）とするときに、
各放電装置（１７）は、前記空気流路（１５ｃ）内において、前記第１方向（Ｄ１）に沿って配置され、
一方の前記放電装置（１７）は、他方の前記放電装置（１７）に対して前記第２方向（Ｄ２）にずれた位置に配置されており、
前記２つの放電装置（１７）を前記第２方向（Ｄ２）に向かってみたときに、前記放電装置本体（６０）同士が前記第１方向（Ｄ１）にずれ、かつ、前記端子部（６１）同士が前記第２方向（Ｄ２）に重なるように、前記２つの放電装置（１７）がそれぞれ配置されている、放電ユニット。
【請求項２】
前記第２方向（Ｄ２）は、前記下流側開口部（１５ｂ）の開口領域に沿った方向である、請求項１に記載の放電ユニット。
【請求項３】
前記空気流路（１５ｃ）内において前記下流側開口部（１５ｂ）の開口領域に沿って配置され、前記被分解物を捕集可能なフィルタ（２３）をさらに備え、
前記放電装置（１７）は、前記活性種を前記フィルタ（２３）に供給可能なように前記フィルタ（２３）に対向して配置されている、請求項１又は２に記載の放電ユニット。
【請求項４】
吸込口（２１ａ）及び吹出口を有するケーシング（２１）と、
前記吸込口（２１ａ）から前記吹出口に至る前記ケーシング（２１）内の空気流路（２１ｃ）において空気の流れをつくるファンと、
放電を生起させることにより、前記空気流路（２１ｃ）を流れる空気に活性種を放出可能な放電装置（１７）と、を備え、
各放電装置（１７）は、長尺状の放電装置本体（６０）と、この放電装置本体（６０）の長手方向の一方の端部に設けられ、前記放電装置本体（６０）に電圧を印加するための端子部（６１）とを有しており、
前記ケーシング（２１）の幅方向に沿った方向を第１方向（Ｄ１）とし、この第１方向（Ｄ１）に垂直な方向を第２方向（Ｄ２）とするときに、
各放電装置（１７）は、前記空気流路（２１ｃ）内において、前記第１方向（Ｄ１）に沿って配置され、
一方の前記放電装置（１７）は、他方の前記放電装置（１７）に対して前記第２方向（Ｄ２）にずれた位置に配置されており、
前記２つの放電装置（１７）を前記第２方向（Ｄ２）に向かってみたときに、前記放電装置本体（６０）同士が前記第１方向（Ｄ１）にずれ、かつ、前記端子部（６１）同士が前記第２方向（Ｄ２）に重なるように、前記２つの放電装置（１７）がそれぞれ配置されている、空気調和機。
【請求項５】
前記第２方向（Ｄ２）は、前記吸込口（２１ａ）の開口領域に沿った方向である、請求項４に記載の空気調和機。
【請求項６】
前記空気流路（２１ｃ）内において前記吸込口（２１ａ）の開口領域に沿って配置され、前記被分解物を捕集可能なフィルタ（２３）をさらに備え、
前記放電装置（１７）は、前記活性種を前記フィルタ（２３）に供給可能なように前記フィルタ（２３）に対向して配置されている、請求項４又は５に記載の空気調和機。
【発明の詳細な説明】
【技術分野】
【０００１】
本発明は、空気調和機本体に装着可能な放電ユニット及び空気調和機に関するものである。
【背景技術】
【０００２】
従来、室内の空気に含まれるウィルス、細菌、カビなどの有害物質を分解する機能を備えた種々の空気調和機が提案されている。例えば、特許文献１には、吹出口から吹出し方向１ｍの距離で１，０００，０００個／ｃｃ以上のマイナスイオンが検出されるマイナスイオン発生器を備えた空気調和機が開示されている。また、特許文献２には、通風路を有するケーシングと、この通風路内に配設されたシロッコファンと、前記通風路内において前記シロッコファンの吹出側に配置され、空気中に正イオン又は負イオンを放出する放出面を有するイオン発生装置とを備えた空気調節装置が開示されている。
【０００３】
有害物質を分解するイオン、ラジカル、オゾンなどの活性種は、グロー放電、バリア放電、ストリーマ放電などの放電を生起させることにより放出される。この活性種を放出可能な放電装置は、空気調和機の吸込口から吹出口に至る空気流路内に配設される。
【０００４】
ところで、空気調和機には、天吊り形、天井埋込ダクト形、天井埋込ダブルフロー形、壁掛け形などの種々のタイプがある。これらの空気調和機は、ケーシング内に空気を吸い込む吸込口を有しており、この吸込口は、通常、ケーシングの幅方向に沿って、例えば扁平な形状で開口している。この吸込口から吸い込まれた空気に対して活性種を前記幅方向にできるだけ行き渡らせるように放出するためには、放電装置は、前記吸込口に沿って設けられるのが好ましい。したがって、放電装置は、前記吸込口に沿って配置可能な長尺状の形状であるのがよい。
【先行技術文献】
【特許文献】
【０００５】
【特許文献１】特開２００７−１０７８０９号公報
【特許文献２】特開２００５−７６９０６号公報
【発明の概要】
【発明が解決しようとする課題】
【０００６】
しかしながら、前述したように空気調和機には種々のタイプがあるので、放電装置を各タイプに合わせて設計すると、放電装置も多くの品種が必要になり、コストアップの要因となる。
【０００７】
そこで、本発明は、かかる点に鑑みてなされたものであり、その目的とするところは、多品種に適用可能な放電装置を備えた放電ユニット、及び多品種に適用可能な放電装置を備えた空気調和機を提供することにある。
【課題を解決するための手段】
【０００８】
本発明は、ケーシング（２１）を有する空気調和機本体（１３）に装着可能であり、前記空気調和機本体（１３）に装着された装着状態において、前記ケーシング（２１）の幅方向に沿って前記ケーシング（２１）に設けられた吸込口（２１ａ）を通じて前記空気調和機本体（１３）に、有害物質の少なくとも一部を不活化した空気を供給可能な放電ユニットに関するものである。この放電ユニットは、空気の吸い込み側となる上流側開口部（１５ａ）、及び前記空気を吹き出して前記空気調和機本体（１３）に供給する側となる下流側開口部（１５ｂ）を有する枠体（１５）と、放電を生起させることにより、前記上流側開口部（１５ａ）から前記下流側開口部（１５ｂ）に至る前記枠体（１５）内の空気流路（１５ｃ）を流れる空気に活性種を放出可能な少なくとも２つの放電装置（１７）と、を備えている。各放電装置（１７）は、長尺状の放電装置本体（６０）と、この放電装置本体（６０）の長手方向の一方の端部に設けられ、前記放電装置本体（６０）に電圧を印加するための端子部（６１）とを有している。前記装着状態において、前記ケーシング（２１）の前記幅方向に沿った方向を第１方向（Ｄ１）とし、この第１方向（Ｄ１）に垂直な方向を第２方向（Ｄ２）とするときに、各放電装置（１７）は、前記空気流路（１５ｃ）内において、前記第１方向（Ｄ１）に沿って配置され、一方の前記放電装置（１７）は、他方の前記放電装置（１７）に対して前記第２方向（Ｄ２）にずれた位置に配置されており、前記２つの放電装置（１７）を前記第２方向（Ｄ２）に向かってみたときに、前記放電装置本体（６０）同士が前記第１方向（Ｄ１）にずれ、かつ、前記端子部（６１）同士が前記第２方向（Ｄ２）に重なるように、前記２つの放電装置（１７）がそれぞれ配置されている。
【０００９】
この構成では、少なくとも２つに分けられた複数の放電装置（１７）を備えている。このように放電装置（１７）を複数に分けて１つあたりの長手方向にサイズを小さくし、この小さな放電装置（１７）を、空気調和機のタイプに合わせて複数個用いるようにすることによって、この放電装置（１７）を多品種の空気調和機に適用することができる。
【００１０】
ところで、放電装置（１７）は、長尺状の放電装置本体（６０）と、この放電装置本体（６０）の長手方向の一方の端部に設けられた端子部（６１）とを有している。この端子部（６１）は、前記放電装置本体（６０）に電圧を印加するためのものであるので、各放電装置（１７）が備えている必要がある。この端子部（６１）は、放電装置本体（６０）の前記一方の端部に設けられているので、例えば２つの放電装置（１７）をそれぞれの長手方向を揃えて直列に配置すると、端子部（６１）が１つ増えた分だけ、複数の放電装置全体の長さが大きくなる。このように全長が大きくなると、放電ユニットのサイズも大きくなる。
【００１１】
そこで、本構成では、各放電装置（１７）は、前記空気流路（１５ｃ）内において、前記第１方向（Ｄ１）に沿って配置され、一方の前記放電装置（１７）は、他方の前記放電装置（１７）に対して前記第２方向（Ｄ２）にずれた位置に配置されており、前記２つの放電装置（１７）を前記第２方向（Ｄ２）に向かってみたときに、前記放電装置本体（６０）同士が前記第１方向（Ｄ１）にずれ、かつ、前記端子部（６１）同士が前記第２方向（Ｄ２）に重なるように、前記２つの放電装置（１７）がそれぞれ配置されている。これにより、端子部（６１）が増加したことに起因する全長の増大を抑制することができる。
【００１２】
また、前記第２方向（Ｄ２）は、前記下流側開口部（１５ｂ）の開口領域に沿った方向であるのが好ましい。
【００１３】
この構成では、前記端子部（６１）同士が重なる方向である前記第２方向（Ｄ２）が、前記下流側開口部（１５ｂ）の開口領域に沿った方向である。したがって、前記端子部（６１）同士が枠体（１５）の厚み方向に重なる場合と比較して、枠体（１５）の厚みを小さくすることができる。これにより、放電ユニット全体のサイズをコンパクトにすることができる。
【００１４】
また、前記放電ユニットは、前記空気流路（１５ｃ）内において前記下流側開口部（１５ｂ）の開口領域に沿って配置され、前記被分解物を捕集可能なフィルタ（２３）をさらに備え、前記放電装置（１７）は、前記活性種を前記フィルタ（２３）に供給可能なように前記フィルタ（２３）に対向して配置されているのが好ましい。
【００１５】
この構成では、被分解物を捕集したフィルタ（２３）に放電装置（１７）から活性種を供給可能であるので、フィルタ（２３）が設けられていない場合と比較して、被分解物を分解する効率を高めることができる。
【００１６】
本発明の空気調和機は、吸込口（２１ａ）及び吹出口を有するケーシング（２１）と、前記吸込口（２１ａ）から前記吹出口に至る前記ケーシング（２１）内の空気流路（２１ｃ）において空気の流れをつくるファンと、放電を生起させることにより、前記空気流路（２１ｃ）を流れる空気に活性種を放出可能な放電装置（１７）と、を備えている。各放電装置（１７）は、長尺状の放電装置本体（６０）と、この放電装置本体（６０）の長手方向の一方の端部に設けられ、前記放電装置本体（６０）に電圧を印加するための端子部（６１）とを有している。前記ケーシング（２１）の幅方向に沿った方向を第１方向（Ｄ１）とし、この第１方向（Ｄ１）に垂直な方向を第２方向（Ｄ２）とするときに、各放電装置（１７）は、前記空気流路（２１ｃ）内において、前記第１方向（Ｄ１）に沿って配置され、一方の前記放電装置（１７）は、他方の前記放電装置（１７）に対して前記第２方向（Ｄ２）にずれた位置に配置されており、前記２つの放電装置（１７）を前記第２方向（Ｄ２）に向かってみたときに、前記放電装置本体（６０）同士が前記第１方向（Ｄ１）にずれ、かつ、前記端子部（６１）同士が前記第２方向（Ｄ２）に重なるように、前記２つの放電装置（１７）がそれぞれ配置されている。
【００１７】
この構成では、前述と同様に、少なくとも２つに分けられた複数の放電装置（１７）を備えている。このように放電装置（１７）を複数に分けて１つあたりの長手方向にサイズを小さくし、この小さな放電装置（１７）を、空気調和機のタイプに合わせて複数個用いるようにすることによって、この放電装置（１７）を多品種の空気調和機に適用することができる。
【００１８】
また、本構成では、各放電装置（１７）は、前記空気流路（２１ｃ）内において、前記第１方向（Ｄ１）に沿って配置され、一方の前記放電装置（１７）は、他方の前記放電装置（１７）に対して前記第２方向（Ｄ２）にずれた位置に配置されており、前記２つの放電装置（１７）を前記第２方向（Ｄ２）に向かってみたときに、前記放電装置本体（６０）同士が前記第１方向（Ｄ１）にずれ、かつ、前記端子部（６１）同士が前記第２方向（Ｄ２）に重なるように、前記２つの放電装置（１７）がそれぞれ配置されている。これにより、端子部（６１）が増加したことに起因する全長の増大を抑制することができる。
【００１９】
また、前記第２方向（Ｄ２）は、前記吸込口（２１ａ）の開口領域に沿った方向であるのが好ましい。
【００２０】
この構成では、前記端子部（６１）同士が重なる方向である前記第２方向（Ｄ２）が、前記吸込口（２１ａ）の開口領域に沿った方向である。したがって、前記端子部（６１）同士が  〜  方向に重なる場合と比較して、放電装置（１７）が占める厚みを小さくすることができる。これにより、空気調和機全体のサイズをコンパクトにすることができる。
【００２１】
また、前記空気調和機は、前記空気流路（２１ｃ）内において前記吸込口（２１ａ）の開口領域に沿って配置され、前記被分解物を捕集可能なフィルタ（２３）をさらに備え、前記放電装置（１７）は、前記活性種を前記フィルタ（２３）に供給可能なように前記フィルタ（２３）に対向して配置されているのが好ましい。
【００２２】
この構成では、被分解物を捕集したフィルタ（２３）に放電装置（１７）から活性種を供給可能であるので、フィルタ（２３）が設けられていない場合と比較して、被分解物を分解する効率を高めることができる。
【発明の効果】
【００２３】
以上説明したように、本発明によれば、多品種に適用可能な放電装置を備えた放電ユニット、及び多品種に適用可能な放電装置を備えた空気調和機を提供することができる。
【図面の簡単な説明】
【００２４】
【図１】本発明の第１実施形態にかかる空気調和機を示す分解斜視図である。
【図２】前記空気調和機において、２つの放電装置の位置関係を説明するための底面図である。
【図３】図２のIII-III線断面図である。
【図４】（ａ）はカバーを取り外した状態の前記放電装置を示す分解斜視図であり、（ｂ）はその平面図であり、（ｃ）は、カバーが取り付けられた前記放電装置を示す断面図である。
【図５】（ａ）は、前記放電装置におけるストリーマ放電電極、アース板及び絶縁板の側面図であり、（ｂ）はこれらの部材の正面図である。
【図６】前記放電装置の端部付近を拡大した斜視図である。
【図７】本発明の第２実施形態にかかる空気調和機を示す底面図である。
【図８】第２実施形態の空気調和機において、２つの放電装置の位置関係を説明するための背面図である。
【図９】本発明の第３実施形態にかかる空気調和機を示す断面図である。
【図１０】第３実施形態の空気調和機において、２つの放電装置の位置関係を説明するための底面図である。
【図１１】本発明の第４実施形態にかかる空気調和機を示す断面図である。
【発明を実施するための形態】
【００２５】
以下、本発明の実施形態にかかる空気調和機について図面を参照しながら詳細に説明する。
【００２６】
＜第１実施形態＞
（空気調和機の全体構成）
図１〜３に示すように、第１実施形態にかかる空気調和機３１は、冷暖房に用いられ、室内の天井に吊り下げられて設置される天吊り形の室内機である。この空気調和機３１は、空気調和機本体１３と、この空気調和機本体１３に装着される放電ユニット３３とを備えている。なお、図２においては、２つの放電装置１７の位置関係を説明するために、フィルタ２３，４１などの一部の部材の図示を省略している。
【００２７】
放電ユニット３３は、製造時点で空気調和機本体１３に装着された状態で出荷されもよく、設置現場において空気調和機本体１３に装着されてもよい。後者の場合には、放電ユニット３３は、住宅、ビルなどに設置済みの既存の空気調和機本体１３に対して装着する（後付けする）こともできる。
【００２８】
なお、この第１実施形態では、放電ユニット３３は空気調和機本体１３に対して着脱可能であるが、後述する第４実施形態のように放電ユニット３３と空気調和機本体１３が一体で着脱できない形態であってもよい。
【００２９】
（空気調和機本体）
図１〜３に示すように、空気調和機本体１３は、本体ケーシング２１、４つのファン１１、熱交換器４５などを有している。
【００３０】
本体ケーシング２１は、底板２１ｄ、天板２１ｅ、背板２１ｆ、及び一対の側板２１ｇを有している。底板２１ｄの背面側の部分には空気の吸込口２１ａが設けられている。この吸込口２１ａには、後述する放電ユニット３３の枠体１５の下流側開口部１５ｂの周縁部が嵌合する。また、本体ケーシング２１の前面側の部分には空気の吹出口２１ｂが設けられている。
【００３１】
図１に示すように、吸込口２１ａは、幅方向の長さが奥行き方向の長さよりも大きく、空気調和機本体１３の幅方向のほぼ全域にわたって形成されている。吹出口２１ｂは、幅方向の長さが高さ方向の長さよりも大きく、空気調和機本体１３の幅方向のほぼ全域にわたって形成されている。吹出口２１ｂには、この吹出口２１ｂから吹き出される空気の向きを調節するフラップ２１ｈが取り付けられている。フラップ２１ｈは、その回動軸２１ｊに回動可能に支持されている。回動軸２１ｊは、本体ケーシング２１の両側の側板２１ｇに支持されている。
【００３２】
本実施形態では、ファン１１としては、遠心ファンの一種であるシロッコファンを用いている。各ファン１１は、本体ケーシング２１の背面側の空間に配置されており、吸込口２１ａの上方（真上）に位置している。これらのファン１１は、上流側開口部１５ａから下流側開口部１５ｂに至る枠体１５内の空気流路１５ｃ、及び吸込口２１ａから吹出口２１ｂに至る本体ケーシング２１内の空気流路２１ｃにおいて空気の流れをつくる。
【００３３】
各ファン１１は、回転軸１１ｃを有する羽根車１１ｂと、この羽根車１１ｂを収容する渦巻形状のファンケース１１ｄとを有している。羽根車１１ｂは、その回転軸１１ｃの周方向に沿って設けられた複数の羽根１１ｅを有している。ファンケース１１ｄは、回転軸１１ｃの軸方向の両側の位置に略円形に開口するファン吸引口１１ａと、羽根車１１ｂの半径方向外側の位置に開口するファン吐出口１１ｆとを有している。ファン吐出口１１ｆは、本体ケーシング２１の吹出口２１ｂ側に向いて開口している。回転軸１１ｃは図略のモータに接続されている。
【００３４】
図１及び図２に示すように、４つのファン１１（１１１〜１１４）は、空気調和機本体１３の吸込口２１ａに沿って本体ケーシング２１の幅方向である第１方向Ｄ１に一列に配列されている。４つのファン１１の各ファン吸引口１１ａは、ファン１１の第１方向Ｄ１に向いて開口している。隣り合うファン１１のファン吸引口１１ａは、第１方向Ｄ１に沿って対向している。なお、図２の一点鎖線Ｂは、各ファン１１の回転軸１１ｃの位置を示すための補助線である。
【００３５】
各ファン１１は、回転軸１１ｃに接続された図略のモータが駆動すると、ファン吸引口１１ａを通じて空気をファンケース１１ｄ内に吸い込む。吸い込まれた空気は、渦巻形状のファンケース１１ｄ内をその周方向に沿って送られ、ファン吐出口１１ｆから吐出される。
【００３６】
熱交換器４５は、本体ケーシング２１の前面側の空間（ファン１１と吹出口２１ｂの間の空間）に配置されている。熱交換器４５の下方にはドレンパン４９が設けられている。熱交換器４５は、本体ケーシング２１の幅方向および高さ方向に延び、幅および高さよりも厚みが小さい扁平な形状を有している。熱交換器４５は、その下縁部が上縁部よりも背板２１ｆ側（ファン１１側）に位置するように鉛直方向に対して傾斜して配置されている。
【００３７】
（放電ユニット）
次に、放電ユニット３３について説明する。この放電ユニット３３は、ストリーマ放電を生起させて放出した活性種により空気流路１５ｃを流れる空気中の有害物質を分解することができる。ストリーマ放電は、放電空間の広い領域にわたって強い放電を生起させることのできる放電形態であり、他の放電形態に比べると有害物質の分解効果も高いという特徴を有している。
【００３８】
放出される活性種としては、電子、イオン、ラジカル、オゾンなどが挙げられる。この活性種は、空気に含まれるウィルス、細菌、カビなどの有害物質（被分解物）に接触してこれらの有害物質を分解する。
【００３９】
図１に示すように、放電ユニット３３は、枠体１５と、一対の静電フィルタ２３と、一対の放電装置１７と、各放電装置１７をそれぞれ支持する一対の支持枠５１と、一対のプレフィルタ４１とを備えている。
【００４０】
枠体１５は、内部に後述する空気流路１５ｃが形成されるように、四角形状に組み合わされた４本の長尺状の枠部材１５１〜１５４を有している。枠体１５は、空気調和機本体１３の吸込口２１ａと同程度の開口領域を有する上流側開口部１５ａ及び下流側開口部１５ｂを有している。上流側開口部１５ａは、空気を吸い込む空気の入口となり、下流側開口部１５ｂは、空気を吹き出して空気調和機本体１３に供給する空気の出口となる。
【００４１】
枠体１５は、前後方向に延びて空気流路１５ｃを幅方向に二分する支柱部材１５５を有している。この支柱部材１５５は、枠部材１５１と枠部材１５３との間に架け渡されている。支柱部材１５５には、後述する各放電装置１７の端子部６１が接続される（図２）。
【００４２】
枠部材１５１〜１５４によって囲まれた空間の幅方向の一方側の端部（図２においては幅方向の左側の端部）には、放電装置１７に電力を供給する高圧電源ユニットを内蔵する電装品ボックス５３が配設されている。枠体１５内には、プレフィルタ４１、放電装置１７を支持する支持枠５１、及び静電フィルタ２３が、上流側開口部１５ａから下流側開口部１５ｂに向かってこの順に配置されている。
【００４３】
各プレフィルタ４１は、後述する静電フィルタ２３よりも目が粗く、空気流路１５ｃを流れる空気に含まれる塵埃などを捕捉する役割を担う。このプレフィルタ４１としては、例えば高分子材料などにより形成された網状の部材が挙げられる。枠体１５の下側には、プレフィルタ４１を覆う図略のカバーが取り付けられる。このカバーは、空気が通る図略の複数のスリットを有している。
【００４４】
各静電フィルタ２３は、四角形状のフィルタ枠２３ａに支持されている。各フィルタ枠２３ａは、各静電フィルタ２３が支柱部材１５５により二分された空気流路１５ｃのそれぞれを塞ぐように、枠部材１５１〜１５５により支持されている。
【００４５】
各静電フィルタ２３は、プレフィルタ４１よりも目が細かく、空気流路１５ｃを流れる空気に含まれるウィルス、細菌、カビなどの有害物質を補足する。また、静電フィルタ２３は、プレフィルタ４１を通過した塵埃の一部も捕捉する。この静電フィルタ２３としては、例えば高分子材料の繊維などから形成されたシート（例えば不織布）をプリーツ状に折り曲げ加工したものが挙げられる。
【００４６】
各放電装置１７をそれぞれ支持する一対の支持枠５１は、プレフィルタ４１と静電フィルタ２３との間に配置されている。具体的には、図１の左側に位置する支持枠５１は、左側に位置するプレフィルタ４１と静電フィルタ２３との間に配置され、右側に位置する支持枠５１は、右側に位置するプレフィルタ４１と静電フィルタ２３との間に配置されている。
【００４７】
各支持枠５１は、四角形状に組み合わされた４本の枠部材５１ａ〜５１ｄと、奥行き方向に延びて枠部材５１ａと５１ｃの間に架け渡された支柱部材５１ｅとを有している。この支柱部材５１ｅは、後述する放電装置１７の一端を支持するためのものであり、放電装置１７の長さに合わせて取り付け位置が調整される。
【００４８】
（放電装置）
各放電装置１７は、底面側からみて細長い長方形状を有する放電装置本体６０と、この放電装置本体６０の長手方向の一方の端部に設けられた端子部６１とを有している。端子部６１は、図略の金具とこの金具を覆う碍子とを含む。
【００４９】
各放電装置１７は、その長手方向が放電ユニット３３の幅方向（図１の左右方向）に向くように、空気流路１５ｃ中に配置されている。すなわち、各放電装置１７は、本体ケーシング２１の幅方向である第１方向Ｄ１に沿って配置されている。
【００５０】
本実施形態において、第１方向Ｄ１に垂直で、かつ、下流側開口部１５ｂの開口領域に沿った方向を第２方向Ｄ２とする。この第２方向Ｄ２は、第１方向Ｄ１に垂直で、かつ、静電フィルタ２３及びプレフィルタ４１に略平行な方向である。言い換えると、第２方向Ｄ２は、空気調和機３１の前後方向である。
【００５１】
図１〜３に示すように、一方の放電装置１７は、他方の放電装置１７に対して第２方向Ｄ２にずれた位置に配置されている。一方の放電装置１７ａは、空気調和機本体３３の吸込口２１ａの開口領域のうち背面側の端部近傍に配置され、他方の放電装置１７ｂは、吸込口２１ａの開口領域のうち前面側の端部近傍に配置されている。一方の放電装置１７ａは、図２の左から２つ目のファン１１２に対向する位置に配置され、他方の放電装置１７ｂは、左から３つ目のファン１１３に対向する位置に配置されている。
【００５２】
２つの放電装置１７を第２方向Ｄ２に向かってみたときに、放電装置本体６０同士は、第１方向Ｄ１にずれて配置されている。本実施形態では、放電装置本体６０同士は、互いの端部を除いて第１方向Ｄ１にはほぼ重ならないようにそれぞれ配置されているが、放電装置本体６０同士は、一部（例えば、放電装置本体６０の長手方向の半分程度の部分）が互いに重なっていてもよい。
【００５３】
また、２つの放電装置１７を第２方向Ｄ２に向かってみたときに、端子部６１同士は、第２方向Ｄ２に重なるように、２つの放電装置１７がそれぞれ配置されている。本実施形態では、図６に示すように、端子部６１同士は、その一部が第２方向Ｄ２に重なっているのみであるが、端子部６１の全体が第２方向Ｄ２に重なっていてもよい。図６の場合、端子部６１同士は、重なり領域Ｋにおいて重なっている。
【００５４】
一方の放電装置１７（図１の右側の放電装置１７ａ）の一端は、右側の支柱部材５１ｅにねじ止めされて支持され、他端は、枠部材５１ｂにねじ止めされて支持されている。他方の放電装置１７（図１の左側の放電装置１７ｂ）の一端は、左側の支柱部材５１ｅにねじ止めされて支持され、他端は、枠部材５１ｄにねじ止めされて支持されている。
【００５５】
各放電装置１７は、ストリーマ放電を生起させることにより、静電フィルタ２３に供給する活性種を生成し空気流路１５ｃ中に放出する。各放電装置１７において活性種が空気流路１５ｃに放出される部位は、後述する放出部７である。この放出部７は、各放電装置１７の長手方向のほぼ中央付近に位置し、各放電装置１７のファン１１に対向している（図２に破線の丸で囲まれた位置の反対側の面）。
【００５６】
図５（ａ）〜図６（ｂ）に示すように、各放電装置１７は、放電装置ケース６９と、放電部８３と、放電装置側接触子７１と、接触子取付部材７２とを有する。
【００５７】
放電装置ケース６９には、放電部８３と接触子取付部材７２とが取り付けられる。放電装置ケース６９は、樹脂から形成された箱状の部材である。放電装置ケース６９は、前面全体が開口しており、放電部８３の後方、両側方、上方、下方を覆っている。以下、放電装置ケース６９の前面の開口を「前面開口６９ａ」と呼ぶ。なお、この前面開口６９ａは、放電装置１７が空気調和機３１に取り付けられた状態においては下方に向く。
【００５８】
図５（ｃ）に示すように、前面開口６９ａは、カバー６４によって閉じられている。これにより、放電部８３と接触子取付部材７２とが、放電装置ケース６９とカバー６４との間に形成される内部空間Ｓ１に収納されている。放電装置ケース６９は、カバー６４と共に放電部８３の周囲を覆い、放電部８３を空気流から隔離する。
【００５９】
放電装置ケース６９の背面の長手方向すなわち鉛直方向におけるほぼ中央部分には、活性種を放出する複数の微少な放出孔７７が設けられている。複数の放出孔７７は、放電装置ケース６９においてその長手方向の前記中央部分に集合して設けられ、放出孔群（放出部）７を構成している。
【００６０】
放電部８３は、ストリーマ放電を生起させる主要部であり、ストリーマ放電電極７０と、アース板７３と、絶縁板７４とを有する。
【００６１】
ストリーマ放電電極７０は、金属板から形成されており、放電電圧が印加されることによってアース板７３との間にストリーマ放電を生じさせる。ストリーマ放電電極７０は、図６（ａ），（ｂ）に示すように、略長方形の外形を有する板状部７８と、板状部７８に垂直に立設された複数の突起部７９と、各突起部７９の先端に設けられた放電針８０とを有する。
【００６２】
突起部７９は、舌状に切り欠かれた板状部７８の一部が垂直に折り曲げられることによって形成されており、板状部７８の長手方向に２つ並んで配置されている。ストリーマ放電電極７０は、絶縁板７４の長手方向における中間部分に接続されており、絶縁板７４を介してアース板７３に取り付けられている。
【００６３】
アース板７３は、金属板から形成されており、ストリーマ放電電極７０よりも大きな略長方形の外形を有する。アース板７３は、ストリーマ放電電極７０に対して平行に配置されており、ストリーマ放電電極７０に近接して配置されている。アース板７３は、ストリーマ放電電極７０と放電装置ケース６９の背面との間に位置している。アース板７３は、放電装置ケース６９に固定されており、金属製のアース接触子８１が取り付けられる。
【００６４】
アース板７３は、ストリーマ放電電極７０の放電針８０に対向する部分近傍に、複数の微少な孔７３ａを有している。これらの孔７３ａは、放電装置ケース６９の複数の微少な放出孔７７と対向するように配置されており、放電針８０からの放電により発生した活性種が、孔７３ａ及び放出孔７７を通って放電装置１７の外部に放出されるように構成されている。
【００６５】
絶縁板７４は、ストリーマ放電電極７０とアース板７３とが取り付けられる部材であり、ストリーマ放電電極７０とアース板７３とを微少な距離を隔てて保持するスペーサーとして機能する。絶縁板７４は、絶縁性の高い樹脂から形成されており、これにより、ストリーマ放電電極７０とアース板７３との間の絶縁が確保される。
【００６６】
絶縁板７４は、図６（ａ）に示すように、側面視において、両端がアース板７３側に折り返された形状を有しており、折り返された両端においてアース板７３と接続されている。より詳細には、絶縁板７４は、ストリーマ放電電極７０とアース板７３とを最短距離で結ぶ第３方向に概ね直交する第４方向に沿ってストリーマ放電電極７０から延びた後に折り返されてアース板７３と接続されている。ここで、第３方向は、ストリーマ放電電極７０の板状部７８およびアース板７３に対して垂直な方向であり、第４方向は、ストリーマ放電電極７０の板状部７８およびアース板７３に対して平行であり、且つ、ストリーマ放電電極７０の板状部７８およびアース板７３の長手方向に沿った方向である。
【００６７】
絶縁板７４は、第１直線部７４ａと、第２直線部７４ｂと、第１Ｕ字部７４ｃと、第３直線部７４ｄと、第２Ｕ字部７４ｅとを有している。
【００６８】
第１直線部７４ａは、側面視において直線形状を有しており、第４方向に平行に配置されている。第１直線部７４ａの長手方向における中間部分は、ストリーマ放電電極７０と対向しており、ストリーマ放電電極７０が接続されている。第１直線部７４ａは、正面視においては、３段階に屈曲した階段状の形状となっている。
【００６９】
第２直線部７４ｂは、側面視において直線形状を有しており、第４方向に平行に配置されている。第２直線部７４ｂは、側面視において第１直線部７４ａよりもアース板７３に近接して配置されており、一端がアース板７３の端部に接続されている。第２直線部７４ｂの他端は、第１Ｕ字部７４ｃを介して第１直線部７４ａに接続されている。
【００７０】
第１Ｕ字部７４ｃは、Ｕ字型の形状を有し、一端が第１直線部７４ａと接続され他端が第２直線部７４ｂと接続されることにより、第１直線部７４ａと第２直線部７４ｂとを繋いでいる。
【００７１】
第３直線部７４ｄは、側面視において直線形状を有しており、第４方向に平行に配置されている。第３直線部７４ｄは、側面視において第１直線部７４ａよりもアース板７３に近接して配置されており、その一端がアース板７３の第２直線部７４ｂが接続されている端部とは反対側の端部に接続されている。第３直線部７４ｄは、第２Ｕ字部７４ｅを介して第１直線部７４ａに接続されている。
【００７２】
第２Ｕ字部７４ｅは、Ｕ字型の形状を有し、一端が第１直線部７４ａと接続され他端が第３直線部７４ｄと接続されることにより、第１直線部７４ａと第３直線部７４ｄとを繋いでいる。
【００７３】
放電装置側接触子７１は、図５（ａ）及び（ｂ）に示すように、接触子取付部材７２に支持されており、接触子取付部材７２の長手方向に沿って設けられている。放電装置側接触子７１の下端は、後述する端子部６１と接触する接点となっている。放電装置側接触子７１は、接触子取付部材７２を介してストリーマ放電電極７０の下端と接触している。放電装置側接触子７１は、電源側接触子からストリーマ放電電極７０に放電電圧を伝達する。
【００７４】
接触子取付部材７２は、放電装置側接触子７１が取り付けられる部材であり、鉛直方向に長い棒状部７２ａと、棒状部７２ａに垂直に交差する仕切板部７２ｂとを有している。棒状部７２ａは、一端にストリーマ放電電極７０が差し込まれる切り欠き７２ｃが設けられており、他端に放電装置側接触子７１の接点が設けられている。
【００７５】
仕切板部７２ｂは、棒状部７２ａの一端と他端との間に設けられており、放電装置ケース６９の内部において、ストリーマ放電電極７０、アース板７３および絶縁板７４が配置される空間と、放電装置側接触子７１の接点が配置される空間との間を仕切っている。これにより、放電装置側接触子７１の接点は、ストリーマ放電電極７０、アース板７３および絶縁板７４が配置された空間から仕切られた空間に配置される。なお、仕切板部７２ｂは、放電装置ケース６９の内側面に設けられた溝６９ｃに差し込まれて固定される。
【００７６】
図７に示すように、各放電装置１７は、その端部に前述した端子部６１を有している。この端子部６１は、放電装置１７の両端のうち放電装置側接触子７１が配置されている側の端部に取り付けられている。各端子部６１は、図２に示すように、支柱部材１５５にそれぞれ取り付けられる。
【００７７】
（空気調和機の動作）
以下、空気調和機３１の動作について説明する。
【００７８】
空気調和機本体１３のファン１１が駆動すると、室内の空気が放電ユニット３３の上流側開口部１５ａから枠体１５内に吸い込まれる。枠体１５内に吸い込まれた空気は、まずプレフィルタ４１を通過する。この際に、比較的大きなホコリや塵が空気中から除去される。
【００７９】
プレフィルタ４１を通過した空気は、支持枠５１で囲まれた領域を通過して静電フィルタ２３に達する。空気がこの静電フィルタ２３を通過する際には、プレフィルタ４１を通過した小さなホコリや塵とともに、ウィルス、細菌、カビなどの有害物質が静電フィルタ２３に捕捉される。
【００８０】
一方、放電装置１７においては、ストリーマ放電電極７０に放電電圧が印加されることによってアース板７３との間にストリーマ放電が生じる。ストリーマ放電が生じると、放電場に低温プラズマが生成され、活性種が放電装置ケース６９に設けられた複数の放出孔７７を通って空気流路１５ｃに放出される。放出された活性種は、空気流路１５ｃの空気の流れに乗って、下流側に位置する静電フィルタ２３に供給される。
【００８１】
活性種が静電フィルタ２３に供給されると、静電フィルタ２３に捕捉された有害物質は前記活性種によって分解され、死滅又は不活化される。空気調和機３１では、放電装置１７においてストリーマ放電を生起させることにより、グロー放電器やバリア放電器等の他のプラズマ放電よりも強い放電場が形成され、エネルギーレベルの高い活性種を生成することができる。よって、ウィルスなどの有害物質を効率よく分解することができる。
【００８２】
静電フィルタ２３を通過した空気は、枠体１５の下流側開口部１５ｂ及び本体ケーシング２１の吸込口２１ａを通じて本体ケーシング２１内に入り、各ファン１１のファン吸引口１１ａからファンケース１１ｄ内に吸い込まれる。この空気は、ファンケース１１ｄ内をその周方向に沿って進み、ファン吐出口１１ｆから吐出される。吐出された空気は、熱交換器４５を通過する際に冷媒との間で熱交換された後、本体ケーシング２１の吹出口２１ｂから室内に吹き出される。
【００８３】
以上説明したように、本実施形態では、各放電装置１７は、空気流路１５ｃ内において、第１方向Ｄ１に沿って配置され、一方の放電装置１７は、他方の放電装置１７に対して第２方向Ｄ２にずれた位置に配置されており、２つの放電装置１７を第２方向Ｄ２に向かってみたときに、放電装置本体６０同士が第１方向Ｄ１にずれ、かつ、端子部６１同士が第２方向Ｄ２に重なるように、２つの放電装置１７がそれぞれ配置されている。
【００８４】
この実施形態では、２つの放電装置１７を備えている。このように放電装置１７を２つに分けて１つあたりの長手方向にサイズを小さくし、この小さな放電装置１７を、空気調和機のタイプに合わせて複数個用いるようにすることによって、この放電装置１７を多品種の空気調和機に適用することができる。
【００８５】
また、本実施形態では、各放電装置１７は、空気流路１５ｃ内において、第１方向Ｄ１に沿って配置され、一方の放電装置１７は、他方の放電装置１７に対して第２方向Ｄ２にずれた位置に配置されており、２つの放電装置１７を第２方向Ｄ２に向かってみたときに、放電装置本体６０同士が第１方向Ｄ１にずれ、かつ、端子部６１同士が第２方向Ｄ２に重なるように、２つの放電装置１７がそれぞれ配置されている。これにより、端子部６１が増加したことに起因する全長の増大を抑制することができる。
【００８６】
また、本実施形態では、第２方向Ｄ２は、下流側開口部１５ｂの開口領域に沿った方向である。したがって、端子部６１同士が枠体１５の厚み方向に重なる場合と比較して、枠体１５の厚みを小さくすることができる。これにより、放電ユニット全体のサイズをコンパクトにすることができる。
【００８７】
また、本実施形態では、被分解物を捕集したフィルタ２３に放電装置１７から活性種を供給可能であるので、フィルタ２３が設けられていない場合と比較して、被分解物を分解する効率を高めることができる。
【００８８】
＜第２実施形態＞
図７は、本発明の第２実施形態にかかる空気調和機３１を示す断面図である。図８は、この第２実施形態の空気調和機において、２つの放電装置の位置関係を説明するための背面図である。なお、図８では、位置関係の説明がしやすいように、フィルタ２３，４１などの一部の部材の図示を省略している。この第２実施形態の空気調和機３１は、天井に埋め込まれて使用される天井埋込ダクト形の室内機である点が第１実施形態と異なっている。尚、ここでは第１実施形態と同じ構成要素には同じ符号を付し、その詳細な説明を省略する。
【００８９】
この第２実施形態の空気調和機３１は、空気調和機本体１３と、放電ユニット３３とを備えている。空気調和機本体１３は、直方体形状の本体ケーシング２１と、この本体ケーシング２１内に配設された２つのファン１１と、熱交換器４５とを有している。本体ケーシング２１の背板２１ｆには、吸込口２１ａが形成されている。本体ケーシング２１の前面側の部分には吹出口２１ｂが形成されている。
【００９０】
２つのファン１１は、本体ケーシング２１の背面側の空間にそれぞれ配置されている。各ファン１１は、シロッコファンであり、その回転軸１１ｃの軸方向が本体ケーシング２１の幅方向に略平行となるように配置されている。これらのファン１１は、互いのファン吸引口１１ａが対向している。
【００９１】
放電ユニット３３は、第１実施形態のものとほぼ同じ構成を有している。この第２実施形態では、放電ユニット３３は本体ケーシング２１の背板２１ｆに取り付けられている。すなわち、背板２１ｆに設けられた吸込口２１ａには、放電ユニット３３の枠体１５の下流側開口部１５ｂの周縁部が嵌合している。
【００９２】
図７，８に示すように、この第２実施形態では、第１方向Ｄ１は、本体ケーシング２１の幅方向（左右方向）である。また、第２方向Ｄ２は、第１方向Ｄ１に垂直で、かつ、静電フィルタ２３及びプレフィルタ４１に略平行な方向である。言い換えると、第２方向Ｄ２は、空気調和機３１の上下方向である。
【００９３】
図７，８に示すように、一方の放電装置１７は、他方の放電装置１７に対して第２方向Ｄ２にずれた位置に配置されている。一方の放電装置１７ａは、空気調和機本体３３の吸込口２１ａの開口領域のうち上側の端部近傍に配置され、他方の放電装置１７ｂは、吸込口２１ａの開口領域のうち下側の端部近傍に配置されている。一方の放電装置１７ａは、図８の左側のファン１１に対向する位置に配置され、他方の放電装置１７ｂは、右側のファン１１に対向する位置に配置されている。
【００９４】
２つの放電装置１７を第２方向Ｄ２に向かってみたときに、放電装置本体６０同士は、第１方向Ｄ１にずれて配置されている。この第２実施形態では、放電装置本体６０同士は、互いの端部を除いて第１方向Ｄ１にはほぼ重ならないようにそれぞれ配置されている。また、２つの放電装置１７を第２方向Ｄ２に向かってみたときに、端子部６１同士は、第２方向Ｄ２に重なるように、２つの放電装置１７がそれぞれ配置されている。
【００９５】
なお、その他の構成、作用及び効果はその説明を省略するが前記第１実施形態と同様である。
【００９６】
＜第３実施形態＞
図９は、本発明の第３実施形態にかかる空気調和機３１を示す底面図であり、図１０は、第３実施形態の空気調和機において、２つの放電装置の位置関係を説明するための底面図である。なお、図１０においては、位置関係を説明しやすいように、プレフィルタ４１、静電フィルタ２３などの部材の図示は省略している。
【００９７】
この第３実施形態の空気調和機３１は、天井に埋め込まれて使用され、異なる方向に吹出可能な天井埋込タイプのダブルフロー形の室内機である点が第１実施形態と異なっている。尚、ここでは第１実施形態と同じ構成要素には同じ符号を付し、その詳細な説明を省略する。
【００９８】
この第３実施形態の空気調和機３１は、空気調和機本体１３と、放電ユニット３３とを備えている。空気調和機本体１３は、直方体形状の本体ケーシング２１と、この本体ケーシング２１内に配設された２つのファン１１（１１１，１１２）と、２つの熱交換器４５とを有している。
【００９９】
図９に示すように、ファン１１１及びファン１１２は、シロッコファンであり、吸込口２１ａの長手方向に沿って配列されており、各回転軸１１ｃは、一つのモータ９１に接続されている。ファン１１１のファン吸引口１１ａとファン１１２のファン吸引口１１ａは回転軸１１ｃの軸方向に対向している。
【０１００】
本体ケーシング２１の底板２１ｄには、ファン１１１，１１２の下方に吸込口２１ａが形成されている。この吸込口２１ａには、放電ユニット３３が装着されている。また、本体ケーシング２１の底板２１ｄには、放電ユニット３３を挟んだ両側の位置に吹出口２１ｂがそれぞれ形成されている。
【０１０１】
ファン１１１のファン吐出口２１ｆは、一方の吹出口２１ｂ（図１５では左側の吹出口２１ｂ）側に向かって開口している。ファン１１２のファン吐出口２１ｆは、他方の吹出口２１ｂ（図１５では右側の吹出口２１ｂ）側に向かって開口している。
【０１０２】
放電ユニット３３は、２つの放電装置１７（１７ａ，１７ｂ）を有している。一方の放電装置１７ａは、ファン１１１に対向する位置に配設されており、他方の放電装置１７ｂは、ファン１１２に対向する位置に配設されている。各放電装置１７の放出部７は、放電装置１７の長手方向の中央付近に設けられている。
【０１０３】
放電装置１７ａは、ファン１１１の回転軸１１ｃに対してファン１１１のファン吐出口１１ｆとは反対側の位置に回転軸１１ｃの軸方向に沿って配置されている。放電装置１７ｂは、ファン１１１の回転軸１１ｃに対してファン１１２のファン吐出口１１ｆとは反対側の位置に回転軸１１ｃの軸方向に沿って配置されている。
【０１０４】
図９，１０に示すように、この第３実施形態では、第１方向Ｄ１は、本体ケーシング２１の幅方向（長手方向）である。また、第２方向Ｄ２は、第１方向Ｄ１に垂直で、かつ、静電フィルタ２３及びプレフィルタ４１に略平行な方向である。言い換えると、第２方向Ｄ２は、本体ケーシング２１の短尺方向である。
【０１０５】
図９，１０に示すように、一方の放電装置１７は、他方の放電装置１７に対して第２方向Ｄ２にずれた位置に配置されている。一方の放電装置１７ａは、空気調和機本体３３の吸込口２１ａの開口領域のうち短尺方向の一方側の端部近傍に配置され、他方の放電装置１７ｂは、吸込口２１ａの開口領域のうち短尺方向の他方側の端部近傍に配置されている。
【０１０６】
２つの放電装置１７を第２方向Ｄ２に向かってみたときに、放電装置本体６０同士は、第１方向Ｄ１にずれて配置されている。この第２実施形態では、放電装置本体６０同士は、互いの端部を除いて第１方向Ｄ１にはほぼ重ならないようにそれぞれ配置されている。また、２つの放電装置１７を第２方向Ｄ２に向かってみたときに、端子部６１同士は、第２方向Ｄ２に重なるように、２つの放電装置１７がそれぞれ配置されている。
【０１０７】
なお、その他の構成、作用及び効果はその説明を省略するが前記第１実施形態と同様である。
【０１０８】
＜第４実施形態＞
図１１は、本発明の第４実施形態にかかる空気調和機３１を示す断面図である。この第４実施形態の空気調和機３１は、第１実施形態のように放電ユニット３３が空気調和機本体１３に対して着脱可能な構造ではなく、放電装置１７、フィルタ２３，４１などの構成が本体ケーシング２１内に収容されている点で第１実施形態と異なっている。尚、ここでは第１実施形態と同じ構成要素には同じ符号を付し、その詳細な説明を省略する。
【０１０９】
図１１に示すように、この第４実施形態の空気調和機３１では、本体ケーシング２１は、ファン１１の下方に放電装置１７などを収容する収容空間を有している。この収容空間には、プレフィルタ４１、放電装置１７を支持する支持枠５１、及び静電フィルタ２３が、上流側から下流側に向かってこの順に配置されている。
【０１１０】
このように第４実施形態では、放電装置１７、各フィルタ４１，２３などが本体ケーシング２１内に収容された一体構造であるので、設置現場での放電ユニット３３の設置にかかる手間を省くことができる。また、放電ユニット３３の枠体１５の分だけ部品点数を削減することができる。
【０１１１】
なお、その他の構成、作用及び効果はその説明を省略するが前記第１実施形態と同様である。
【０１１２】
＜その他の実施形態＞
なお、本発明は、前記実施形態に限られるものではなく、その趣旨を逸脱しない範囲で種々変更、改良等が可能である。例えば、前記実施形態では、冷暖房を行う空気調和機の室内機に本発明を適用した場合を例に挙げて説明したが、本発明は空気清浄機などの他の空気調和機に適用することもできる。
【０１１３】
また、前記実施形態では、ストリーマ放電を生起させることにより活性種を生成する場合を例に挙げて説明したが、放電の種類はこれに限定されない。例えば、グロー放電、バリア放電などの他のプラズマ放電を利用して活性種を生成してもよい。
【０１１４】
また、前記実施形態では、空気調和機本体がシロッコファンを備えている場合を例に挙げて説明したが、これに限定されない。ファンとしては、例えばターボファン、クロスフローファンなどの他のファンを用いることもできる。
【０１１５】
また、前記実施形態では、空気調和機が天吊り形、天井埋込ダクト形、天井埋込ダブルフロー形などの室内機を例に挙げて説明したが、これに限定されない。本発明は、例えば、壁掛け形などの他の室内機に適用することもできる。
【０１１６】
また、前記実施形態では、第２方向が下流側開口部の開口領域に沿った方向である場合、すなわち静電フィルタ２３に略平行な方向である場合を例に挙げて説明したが、これに限定されない。例えば、第２方向が枠体内においてプレフィルタ、静電フィルタなどが積層される積層方向に沿った方向などの他の方向であってもよい。そして、一方の放電装置は、他方の放電装置に対して前記第２方向にずれた位置に配置され、２つの放電装置を前記第２方向に向かってみたときに、放電装置本体同士が前記第１方向にずれ、かつ、端子部同士が前記第２方向に重なるように、２つの放電装置がそれぞれ配置されていてもよい。
【符号の説明】
【０１１７】
７  放出孔群（放出部）
１１  シロッコファン
１１ａ  ファン吸引口
１１ｂ  ファン吐出口
１３  空気調和機本体
１５  枠体
１５ａ  上流側開口部
１５ｂ  下流側開口部
１５ｃ  空気流路
１７  放電装置
２１  本体ケーシング
２１ａ  吸込口
２１ｂ  吹出口
２１ｃ  空気流路
２３  フィルタ
３１  空気調和機
３３  放電ユニット
Ｄ１  第１方向
Ｄ２  第２方向
【図１】
2011106740.tif 000003
【図２】
2011106740.tif 000004
【図３】
2011106740.tif 000005
【図４】
2011106740.tif 000006
【図５】
2011106740.tif 000007
【図６】
2011106740.tif 000008
【図７】
2011106740.tif 000009
【図８】
2011106740.tif 000010
【図９】
2011106740.tif 000011
【図１０】
2011106740.tif 000012
【図１１】
2011106740.tif 000013